(57)【要約】  １枚の板紙のブランクに印刷可能な、コンパクトディスク用包装体。印刷した包装体を少なくとも３部分、即ち前面部と、該前面部に、共通の折曲可能な側縁部に沿って連結する後面部と、後面部の上縁部に折曲可能なフラップによって接続するＣＤ保持部と、に折曲可能とする。本発明の１態様によるＣＤ保持部を略正方形とし、その幅をＣＤの直径より広くする。２本の湾曲したスリットをＣＤ保持部に切込み、スリットの弧をＣＤの湾曲部に対応させる。【選択図】  図５
2010513146.tif 000002
【特許請求の範囲】
【請求項１】
後面部と、該後面部に、第１共通折曲可能縁部に沿って接続する前面部と、前記後面部に、第２共通折曲可能縁部に沿って接続するディスク保持部とを備える平坦なディスク記録媒体用包装体であって、前記ディスク保持部には、前記ディスクを受容し押えるために設けた２本のスリットを備えること、を特徴とする包装体。  
【請求項２】
前記包装体を、１枚の板紙のブランクから切取ること、を特徴とする請求項１に記載の包装体。
【請求項３】
前記後面部、前面部、及びディスク保持部を略正方形にし、幅を前記ディスクの直径より広くし、更に前記ディスク保持部の前記スリットを湾曲させ、前記ディスクの湾曲部に対応する弧とし、前記スリットを前記ディスク保持部に、凹状内縁部を有する２つの折曲可能なフラップを形成するように設けること、を特徴とする請求項２に記載の包装体。
【請求項４】
前記前面部を、側縁部に沿って前記後面部に接続し、前記ディスク保持部を前記後面部の上縁部に接続すること、を特徴とする請求項３に記載の包装体。
【請求項５】
前記ディスク保持部を、前記上縁部の幅より狭い幅を有する折曲可能なタブによって、前記後面部に接続すること、を特徴とする請求項４に記載の包装体。
【請求項６】
前記スリットを、該スリットの湾曲部の弧に従う仮想線が、前記ディスクの円周に対応する円周の円を完成するように、設けること、を特徴とする請求項５に記載の包装体。
【請求項７】
共通折曲可能縁部に沿って前記前面部に隣接して接続する第１追加部分と、共通折曲可能縁部に沿って前記後面部に隣接して接続する第２追加部分と、共通折曲可能縁部に沿って前記第２追加部分に隣接して接続する第３追加部分と、を更に備えること、を特徴とする請求項６に記載の包装体。
【請求項８】
前記第１追加部分を前記前面部に折重ねて接着し、前記第３追加部分を前記第２追加部分に折重ねて接着し、前記ディスク保持部を前記後面部上に折重ね、ディスクを前記スリットに挿入し、前記スリットによって形成した前記折曲可能なタブを、前記ディスクに折重ね、前記第２追加部分を前記ディスク保持部に折重ね、前記前面部を前記第２追加部分に折重ねて、閉鎖可能な包装体を形成すること、を特徴とする請求項７に記載の包装体。
【請求項９】
片面に印刷を施した、１枚の板紙のブランクと、切断及び折曲げのパターン識別線であって、該切断線により後面部を画定する該識別線と、第１共通折曲線に沿って前記後面部に隣接する前面部と、第２共通折曲線に沿って前記後面部に隣接するディスク保持部と、を備える平坦なディスク用包装体のテンプレートであって、前記ディスク保持部には、前記ディスクを受容し押えるよう設けたスリットを画定する２本の切断線を、備えること、を特徴とするテンプレート。
【請求項１０】
前記後面部、前面部及びディスク保持部を略正方形にし、幅を前記ディスクの直径より広くし、更に前記ディスク保持部の前記スリット用切断線を湾曲させ、前記ディスクの半径と対応する弧とし、前記切断線を、切断した際に、凹状内縁部を有する２つの折曲可能なフラップを画定するように、前記ディスク保持部に設けること、を特徴とする請求項８に記載のテンプレート。
【請求項１１】
前記前面部を、側縁部に沿って前記後面部に隣接して設け、前記ディスク保持部を、前記後面部の上縁部に沿って前記後面部に隣接して設けること、を特徴とする請求項９に記載のテンプレート。
【請求項１２】
前記包装体を、記録情報を含むディスクを押えるように設け、その内容についての印刷情報を、少なくとも前記前面部、後面部又はディスク保持部に印刷すること、を特徴とする請求項１０に記載のテンプレート。
【請求項１３】
前記板紙を、再生材製とすること、を特徴とする請求項１１に記載のテンプレート。
【発明の詳細な説明】
【技術分野】
【０００１】
本発明は、記録媒体用ホルダに関し、より詳細にはコンパクトディスク、ＤＶＤ等の平坦なディスクを保持する包装体に関する。
【背景技術】
【０００２】
様々な種類の平坦なディスクを使用して、デジタル及びアナログ情報が記録されている。それらの中でも、ＣＤやＤＶＤは、音楽や映画等のエンターテイメントコンテンツを含むことが多い。こうしたディスクは一般的に、ディスクを保護すると共に、販売時に魅力的な表示を提供するといった機能を果たすホルダに包装される。最も一般的な包装体としては、“ジュエルケース”として知られる、ヒンジで連結した、透明なプラスチック製ケースがある。このジュエルケースには、ディスクの中心穴を係合させて、所定の位置にしっかりとディスクを保持する屈曲可能なフィンガを有するハブを備える。広く受入れられているものの、ジュエルケースには幾つかの短所があり、中でも、製造コストや、プラスチックが環境を破壊する材料であることが挙げられる。
【０００３】
その結果、板紙等、より環境に優しい材料で作製したＣＤ包装体で、好適には１枚のブランクから印刷可能な包装体を提供する、多くの試みが為されて来た。そうした従来技術の包装体として、米国特許第６６８１９２８号、第５９３１２９３号、第６３７５００３号等が挙げられる。これらの装置は、ジュエルケースの幾つかの短所を解決するものの、装置自体には多くの短所がある。米国特許第６６８１９２８号及び第５９３１２９３号では、切断及び曲折して、ＣＤを保持する小袋を構成する紙ブランクについて、開示している。しかしながら、かかる小袋ではＣＤをしっかりと保持しない。また、ＣＤ自体には重要な情報が印刷されている可能性があるが、ＣＤが小袋内側に覆い隠されている。第６３７５００３号に記載された装置では、小袋は用いておらず、むしろＣＤの中心穴を係合させる保持手段を用いている。この解決方法では、ＣＤは可視状態となるが、ＣＤを特にしっかりとは保持しない。
【０００４】
従って、例えば再生紙の１枚の板紙のブランクから印刷してもよく、製造が簡易で、ＣＤをしっかりと保持し、ＣＤ自体を包装体内側で可視状態にできる、ＣＤ包装体に対するニーズが、存在する。
【発明の概要】
【０００５】
本発明では、１枚の板紙のブランクに印刷可能なコンパクトディスク包装体を提供する。この印刷した包装体は、少なくとも３つの部分、即ち前面部と、共通な折曲可能な側縁部に沿って該前面部に連結する後面部と、後面部の上縁部に折曲可能なフラップによって接続するＣＤ保持部と、に折曲可能である。本発明の１態様によるＣＤ保持部を、略正方形とし、その幅をＣＤの直径より広くする。２本の湾曲したスリットをＣＤ保持部に切込み、スリットの弧をＣＤの湾曲部に対応させる。該スリットをＣＤ保持部の両縁部まで延伸させず、それにより各スリットの終端部で２つのヒンジ状タブを作成して、ＣＤ保持部の両側で、２つの折曲可能な押え部材を画定でき、該押え部材を互いに向かい観音開き扉に似た方法で折曲げられる。こうしたスリットにより、これらの“扉状”押え部材が、片方のヒンジ状タブから他方へと延伸する凹状内縁部を、有することになる。その後、ＣＤを該スリットに挿入して、２つの押え部材をＣＤに折重ね、前面部を、後面部との共通縁部に沿って折曲げて、包装体を閉じてもよい。包装体を開くと、ＣＤに折重ねていた押え部材は、僅かに開くが、完全には開かない。従って、保持部材の凹状内縁部で、スリットに挿入したＣＤの縁部をしっかりと保持する。ＣＤを驚く程しっかりと保持し、実際に包装体を激しく振っても、ＣＤが外れることがない。ＣＤ保持部の扉状押え部材を容易に開いて、ＣＤに印刷された情報を見せられ、ＣＤを如何にしっかりと所定の位置に保持していても、スリットから極めて簡単に取外せる。
【図面の簡単な説明】
【０００６】
次に、本発明について、添付図を参照して、より詳細に記述する。
【０００７】
【図１】１枚のブランクに印刷した本発明のＣＤ包装体の、好適実施例の上面図である。
【図２】図１と同様な図だが、ブランクに印刷した音楽ＣＤ用の表紙及びディスクコンテンツの例を示している。
【図３】本発明による包装体の上面図であり、ＣＤをＣＤ保持部に挿入し、扉状押え部材をＣＤに折重ねて、これを示している。
【図４】本発明によるＣＤ包装体の好適な実施例の斜視図である。
【図５】本発明によるＣＤ包装体の好適な実施例の斜視図である。
【図６】本発明によるＣＤ包装体の好適な実施例の斜視図である。
【図７】本発明によるＣＤ包装体の好適な実施例の斜視図である。
【発明を実施するための形態】
【０００８】
図１及び図２で示すように、本発明によるＣＤ包装体の好適な実施例では、例えば再生紙を使用して、１枚の板紙のブランクに印刷してもよい。図１を参照すると、実線で切断線を、破線で折曲部を示している。
【０００９】
ＣＤ包装体には、共通の折曲可能な縁部に沿って後面部２と隣接する前面部１を備える。ＣＤ保持部３を、折曲可能なフラップ４によって後面部２に接続するが、フラップ４の長さを後面部２及びＣＤ保持部３夫々の幅より短くする。好適な実施例では、“面２”部分を、共通の折曲可能な縁部に沿って前面部１に隣接させ、“面３”部分を、共通の折曲可能な縁部に沿って後面部２に隣接させ、“面４”部分を、共通の折曲可能な縁部に沿って“面３”部分に隣接させる。図２から分かるように、面２を、前面部上に折畳み、全体の厚みを増やせるだけでなく、印刷情報用に追加ページを提供できる。同様に、面４を面３上に折畳め、該面３は次に、前面部を後面部上に折曲げて包装体を閉じた際に、包装体の内側に折込まれる。図１及び図２では、前面、後面、側面２〜４を水平に配置するが、面２を、前面部１の上縁部に沿って配置し、面４を、面３の上縁部に沿って配置することもできる。好適な実施例では、上記部分夫々を、略正方形とし、幅をＣＤの直径より広くする。  
【００１０】
図１で示すように、２本の湾曲したスリット８を、ＣＤ保持部３に切込む。該スリットを縁部まで延在させ、その結果、２組のヒンジ状タブ９を形成する。図５で示すように、湾曲スリット８を、ＣＤの湾曲部に対応するよう切込む。湾曲スリット８を切込んだ結果、凹状内縁部を有する２つの“扉状”押え部材１０を形成し、該部材をタブ９周りに回転可能とする。
【００１１】
使用時には、１枚のブランクを図２で図示したように、様々な表紙又は他の情報を、適当な部分に、印刷する。該ブランクを実線に沿って切離し、破線に沿って折曲げて、ＣＤ包装体を形成する。穴１１を任意にＣＤ保持部３に切込み、２つの穴１２及び１３を夫々面２及び面３に切込む。切離し後、面２を前面部に折重ねて接着し、スリット８をＣＤ保持部３に切込み、押え部材１０をタブ９に沿って予め折曲げておく。ＣＤ保持部３もまた、ＣＤ保持部３が後面部２に対して載置可能なように、フラップ４に沿って折曲げる。  
【００１２】
図４乃至図７により確認できるように、ＣＤをスリット８に挿入し、その後押え部材１０を互いに向けて折曲げて、ＣＤを所定の位置に保持する。面３／面４を内方に折曲げ、その後前面部を折曲げて閉じる。好適な実施例では、フックループファスナの補完的パッチを、穴１２及び１３に取付け、該パッチを互いに係合させて、折曲げて閉じた際に、ＣＤ包装体を閉鎖した状態で保持する。
【００１３】
包装体を開くと、押え部材１０は僅かに開くが、図７で示すように完全には開かない。ＣＤの縁部が押え部材１０の凹状内縁部を通り延在しているため、ＣＤは所定位置にしっかりと収まったままとなる。
【符号の説明】
【００１４】
１    前面部
２    後面部
３    ディスク保持部
４    フラップ
８    スリット
９    タブ
１０  押え部材
１１  穴
１２  穴
１３  穴
【図２】
2010513146.tif 000003
【図３】
2010513146.tif 000004
【図４】
2010513146.tif 000005
【図５】
2010513146.tif 000006
【図６】
2010513146.tif 000007
【図７】
2010513146.tif 000008
【図１】
2010513146.tif 000009
【手続補正書】
【提出日】平成21年8月10日(2009.8.10)
【手続補正１】
【補正対象書類名】明細書
【補正対象項目名】全文
【補正方法】変更
【補正の内容】
【発明の詳細な説明】
【技術分野】
【０００１】
本発明は、記録媒体用ホルダに関し、より詳細にはコンパクトディスク、ＤＶＤ等の平坦なディスクを保持する包装体に関する。
【背景技術】
【０００２】
様々な種類の平坦なディスクを使用して、デジタル及びアナログ情報が記録されている。それらの中でも、ＣＤやＤＶＤは、音楽や映画等のエンターテイメントコンテンツを含むことが多い。こうしたディスクは一般的に、ディスクを保護すると共に、販売時に魅力的な表示を提供するといった機能を果たすホルダに包装される。最も一般的な包装体としては、“ジュエルケース”として知られる、ヒンジで連結した、透明なプラスチック製ケースがある。このジュエルケースには、ディスクの中心穴を係合させて、所定の位置にしっかりとディスクを保持する屈曲可能なフィンガを有するハブを備える。広く受入れられているのの、ジュエルケースには幾つかの短所があり、中でも、製造コストや、プラスチックが環境を破壊する材料であることが挙げられる。    
【０００３】
その結果、板紙等、より環境に優しい材料で作製したＣＤ包装体で、好適には１枚のブランクから印刷可能な包装体を提供する、多くの試みが為されて来た。そうした従来技術の包装体として、米国特許第６６８１９２８号、第５９３１２９３号、第６３７５００３号等が挙げられる。これらの装置は、ジュエルケースの幾つかの短所を解決するものの、装置自体には多くの短所がある。米国特許第６６８１９２８号及び第５９３１２９３号では、切断及び曲折して、ＣＤを保持する小袋を構成する紙ブランクについて、開示している。しかしながら、かかる小袋ではＣＤをしっかりと保持しない。また、ＣＤ自体には重要な情報が印刷されている可能性があるが、ＣＤが小袋内側に覆い隠されている。第６３７５００３号に記載された装置では、小袋は用いておらず、むしろＣＤの中心穴を係合させる保持手段を用いている。この解決方法では、ＣＤは可視状態となるが、ＣＤを特にしっかりとは保持しない。
【０００４】
従来技術のメディア包装体の更なる例として、米国特許第５７６９２１６号を含み、該特許ではコンパクトディスク・ホルダについて開示しており、該ホルダには、幅方向に係合する部分を有して、ディスクの幅方向の移動を抑制する押え板だけでなく、少なくとも部分的に該幅方向係合部分上に延伸させて、ディスクの表面部分と係合するディスク押えタブとを備えている。  
【０００５】
米国特許第５１８８２２９号では、単一の板紙のブランクから形成するメディア包装体について開示しており、該特許では、複数部分に打抜き、該複数部分を折曲げ／互いに密閉して包装体を形成する。１実施例では、コンパクトディスク用空間を、板紙の１層又は複数層における円形開口部によって画定し、ＣＤをプラスチック製ハブによって、該開口部内に維持する。別の実施例では、ディスク用空間をポケット形状とする。
【０００６】
米国特許第６０７３７６３号では、１枚のブランクから形成したコンパクトディスク包装体について開示しており、該包装体には、ディスクを支持する第１面と、該第１面に折重ねて接着する２つの側方押え部と、を有する。側方押え部を、切欠部を有する２枚のパネルから形成し、該パネルにより、ＣＤの縁部を挿入して押えられる湾曲したポケットを画定している。
【０００７】
米国特許第５２８９９１８号では、１枚の単一なシートから作成する折上げコンパクトディスク包装体について開示しており、該包装体には２つの側方押え部を、ＣＤの縁部を挿入可能な楕円形に打抜いた切欠を有する傾斜面の形で、有している。
【０００８】
これらの包装体により、プラスチック製ジュエルケースの短所の多くは克服されるものの、ＣＤを保持する方法、組立て易さ、グラフィックや他の印刷情報のための表面積の最大化だけでなく、組立てた包装体の魅力に関しても、短所がある。
【０００９】
従って、例えば再生紙の１枚の板紙のブランクから印刷してもよく、製造が簡易で、ＣＤをしっかりと保持し、ＣＤ自体を包装体内部で可視状態にできる、ＣＤ包装体に対するニーズが、存在する。
【発明の概要】
【００１０】
本発明では、１枚の板紙のブランクに印刷可能なコンパクトディスク包装体を提供する。この印刷した包装体は、少なくとも３つの部分、即ち前面部と、共通な折曲可能な側縁部に沿って該前面部に連結する後面部と、後面部の上縁部に折曲可能なフラップによって接続するＣＤ保持部と、に折曲可能である。本発明の１態様によるＣＤ保持部を、略正方形とし、その幅をＣＤの直径より広くする。２本の湾曲したスリットをＣＤ保持部に切込み、スリットの弧をＣＤの湾曲部に対応させる。該スリットをＣＤ保持部の両縁部まで延伸させず、それにより各スリットの終端部で２つのヒンジ状タブを作成して、ＣＤ保持部の両側で、２つの折曲可能な押え部材を画定でき、該押え部材を互いに向かい観音開き扉に似た方法で折曲げられる。こうしたスリットにより、これらの“扉状”押え部材が、片方のヒンジ状タブから他方へと延伸する凹状内縁部を、有することになる。その後、ＣＤを該スリットに挿入して、２つの押え部材をＣＤに折重ね、前面部を、後面部との共通縁部に沿って折曲げて、包装体を閉じてもよい。包装体を開くと、ＣＤに折重ねていた押え部材は、僅かに開くが、完全には開かない。従って、保持部材の凹状内縁部で、スリットに挿入したＣＤの縁部をしっかりと保持する。ＣＤを驚く程しっかりと保持し、実際に包装体を激しく振っても、ＣＤが外れることがない。ＣＤ保持部の扉状押え部材を容易に開いて、ＣＤに印刷された情報を見せられ、ＣＤを如何にしっかりと所定の位置に保持していても、スリットから極めて簡単に取外せる。
【図面の簡単な説明】
【００１１】
次に、本発明について、添付図を参照して、より詳細に記述する。
【００１２】
【図１】１枚のブランクに印刷した本発明のＣＤ包装体の、好適実施例の上面図である。
【図２】図１と同様な図だが、ブランクに印刷した音楽ＣＤ用の表紙及びディスクコンテンツの例を示している。
【図３】本発明による包装体の上面図であり、ＣＤをＣＤ保持部に挿入し、扉状押え部材をＣＤに折重ねて、これを示している。
【図４】本発明によるＣＤ包装体の好適な実施例の斜視図である。
【図５】本発明によるＣＤ包装体の好適な実施例の斜視図である。
【図６】本発明によるＣＤ包装体の好適な実施例の斜視図である。
【図７】本発明によるＣＤ包装体の好適な実施例の斜視図である。
【発明を実施するための形態】
【００１３】
図１及び図２で示すように、本発明によるＣＤ包装体の好適な実施例では、例えば再生紙を使用して、１枚の板紙のブランクに印刷してもよい。図１を参照すると、実線で切断線を、破線で折曲部を示している。
【００１４】
ＣＤ包装体には、共通の折曲可能な縁部に沿って後面部２と隣接する前面部１を備える。ＣＤ保持部３を、折曲可能なフラップ４によって後面部２に接続するが、フラップ４の長さを後面部２及びＣＤ保持部３夫々の幅より短くする。好適な実施例では、“面２”部分を、共通の折曲可能な縁部に沿って前面部１に隣接させ、“面３”部分を、共通の折曲可能な縁部に沿って後面部２に隣接させ、“面４”部分を、共通の折曲可能な縁部に沿って“面３”部分に隣接させる。図２から分かるように、面２を、前面部上に折畳み、全体の厚みを増やせるだけでなく、印刷情報用に追加ページを提供できる。同様に、面４を面３上に折畳め、該面３は次に、前面部を後面部上に折曲げて包装体を閉じた際に、包装体の内側に折込まれる。図１及び図２では、前面、後面、側面２〜４を水平に配置するが、面２を、前面部１の上縁部に沿って配置し、面４を、面３の上縁部に沿って配置することもできる。好適な実施例では、上記部分夫々を、略正方形とし、幅をＣＤの直径より広くする。  
【００１５】
図１で示すように、２本の湾曲したスリット８を、ＣＤ保持部３に切込む。該スリットを縁部まで延在させ、その結果、２組のヒンジ状タブ９を形成する。図５で示すように、湾曲スリット８を、ＣＤの湾曲部に対応するよう切込む。湾曲スリット８を切込んだ結果、凹状内縁部を有する２つの“扉状”押え部材１０を形成し、該部材をタブ９周りに回転可能とする。
【００１６】
使用時には、１枚のブランクを図２で図示したように、様々な表紙又は他の情報を、適当な部分に、印刷する。該ブランクを実線に沿って切離し、破線に沿って折曲げて、ＣＤ包装体を形成する。穴１１を任意にＣＤ保持部３に切込み、２つの穴１２及び１３を夫々面２及び面３に切込む。切離し後、面２を前面部に折重ねて接着し、スリット８をＣＤ保持部３に切込み、押え部材１０をタブ９に沿って予め折曲げておく。ＣＤ保持部３もまた、ＣＤ保持部３が後面部２に対して載置可能なように、フラップ４に沿って折曲げる。
【００１７】
図４乃至図７により確認できるように、ＣＤをスリット８に挿入し、その後押え部材１０を互いに向けて折曲げて、ＣＤを所定の位置に保持する。面３／面４を内方に折曲げ、その後前面部を折曲げて閉じる。好適な実施例では、フックループファスナの補完的パッチを、穴１２及び１３に取付け、該パッチを互いに係合させて、折曲げて閉じた際に、ＣＤ包装体を閉鎖した状態で保持する。
【００１８】
包装体を開くと、押え部材１０は僅かに開くが、図７で示すように完全には開かない。ＣＤの縁部が押え部材１０の凹状内縁部を通り延在しているため、ＣＤは所定位置にしっかりと収まったままとなる。
【符号の説明】
【００１９】
１    前面部
２    後面部
３    ディスク保持部
４    フラップ
８    スリット
９    タブ
１０  押え部材
１１  穴
１２  穴
１３  穴
【手続補正２】
【補正対象書類名】特許請求の範囲
【補正対象項目名】全文
【補正方法】変更
【補正の内容】
【特許請求の範囲】
【請求項１】
少なくとも後面部（２）と、該後面部（２）に、第１共通折曲可能縁部に沿って接続する前面部（１）と、前記後面部（２）に、第２共通折曲可能縁部に沿って接続するディスク保持部（３）とを備えており、前記ディスク保持部（３）には、前記ディスクの直径より狭い幅を有し、前記ディスクを受容し押えるために設けた２本の対称的なスリット（８）を備える平坦なディスク記録媒体用包装体であって、前記スリット（８）を湾曲させ、該スリットには弧を有し、該弧の仮想延長線を実質的に前記記録媒体と同じ直径を有する円と連結させてこれを完成し、前記スリット（８）から前記ディスク保持部（３）の縁部まで延在する２つの折曲可能なタブ（９）を形成するように、前記スリット（８）を更に前記ディスク保持部（３）に設け、それにより折曲可能な押え部分（１０）を形成し、該押え部分（１０）の折曲軸を、前記後面部（２）と前記ディスク保持部（３）との間の共通折曲可能縁部の折曲軸と直交させて、前記押え部分（１０）を前記記録媒体上に折畳んで、該記録媒体をしっかりと押えられること、を特徴とする包装体。  
【請求項２】
前記包装体を、１枚の板紙のブランクから切出すこと、を特徴とする請求項１に記載の包装体。
【請求項３】
前記後面部（２）、前面部（１）、及びディスク保持部（３）を略正方形にすること、を特徴とする請求項２に記載の包装体。
【請求項４】
前記前面部（１）を、側縁部に沿って前記後面部（２）に接続し、前記ディスク保持部（３）を前記後面部（２）の上縁部に接続すること、を特徴とする請求項３に記載の包装体。
【請求項５】
前記ディスク保持部（３）を、前記上縁部の幅より狭い幅を有する折曲可能なタブ（４）によって、前記後面部（２）に接続すること、を特徴とする請求項４に記載の包装体。
【請求項６】
共通折曲可能縁部に沿って前記前面部（１）に隣接して接続する第１追加部分（５）と、共通折曲可能縁部に沿って前記後面部（２）に隣接して接続する第２追加部分（６）と、共通折曲可能縁部に沿って前記第２追加部分（６）に隣接して接続する第３追加部分（７）と、を更に備えること、を特徴とする請求項４に記載の包装体。
【請求項７】
前記第１追加部分（５）を前記前面部（１）に折重ねて接着し、前記第３追加部分（７）を前記第２追加部分（６）に折重ねて接着し、前記ディスク保持部（３）を前記後面部（２）上に折重ね、その上で前記包装体を、ディスクを前記スリット（８）に挿入してもよく、前記押え部分（１０）を、前記スリット（８）によって形成した前記折曲可能なタブ（９）に沿って折曲げて、前記ディスクに折重ね、前記第２追加部分（６）を前記ディスク保持部（３）に折重ね、前記前面部（１）を前記第２追加部分（６）に折重ねて、閉封可能な包装体を形成するようにして、整えること、を特徴とする請求項５に記載の包装体。
【請求項８】
１枚の板紙のブランクを備え、該ブランクに、予め画定した切断のパターンで、切断線に沿って切断を行い、折曲線に沿って折曲げるが、該切断線により後面部（２）と、第１共通折曲線に沿って前記後面部（２）に隣接する前面部（１）と、第２共通折曲線に沿って前記後面部（２）に隣接するディスク保持部（３）とを画定する、平坦なディスク用包装体を作製する方法であって、対称的な弧の形で２本のスリット（８）を前記ディスク保持部（３）に切込み、前記スリット（８）を、該スリット（８）の前記弧の仮想延長線で、前記平坦なディスクの直径と実質的に等しい直径を有する円を完成するよう配置し、前記スリット（８）により、前記ディスク保持部の材料で２つの折曲可能なタブ（９）を更に形成し、その結果前記平坦なディスク上に折畳める折曲可能な押え部分（１０）を形成し、前記タブ（９）を、前記後面部（２）と前記ディスク保持部（３）との間の折曲線と直交させること、を特徴とする方法。
【請求項９】
前記後面部（２）、前面部（１）及びディスク保持部（３）を略矩形にし、幅を前記ディスクの直径より広くし、前記ブランクを、前記後面部（２）と前記ディスク保持部（３）との間の前記共通折曲線により、該２部分間の折曲可能な連結タブ（４）を画定するよう切断し、該タブを、前記ディスク保持部（３）の幅より狭くすること、を特徴とする請求項８に記載の方法。
【請求項１０】
前記前面部（１）を、側縁部に沿って前記後面部（２）に隣接して設け、前記ディスク保持部（３）を、前記後面部（２）の上縁部に沿って前記後面部（２）に隣接して設けること、を特徴とする請求項８に記載の方法。
【請求項１１】
前記包装体を、記録情報を含むディスクを押えるように設け、その内容についての印刷情報を、少なくとも前記前面部、後面部又はディスク保持部に印刷すること、を特徴とする請求項９に記載の方法。
【請求項１２】
前記板紙を、再生材製とすること、を特徴とする請求項１０に記載の方法。
【国際調査報告】
2010513146.tif 000010
2010513146.tif 000011